Podtech/llm-jp-corpus-v4-ja_patent huggingface dataset:
【手続補正書】
【提出日】平成28年5月9日(2016.5.9)
【手続補正１】
【補正対象書類名】特許請求の範囲
【補正対象項目名】全文
【補正方法】変更
【補正の内容】
【特許請求の範囲】
【請求項１】
医薬組成物であって、
ｉ）グルコキナーゼ活性化因子、または薬学的に許容されうるその塩、
ｉｉ）ＤＰＰ−ＩＶ阻害剤、ＧＬＰ−１類似体、または薬学的に許容されうるその塩からなる群より選択される、抗糖尿病薬剤；および
ｉｉｉ）少なくとも１つの薬学的に許容されうるキャリアー、賦形剤、希釈剤またはその混合物
を含む組成物。
【請求項２】
請求項１の医薬組成物であって、グルコキナーゼ活性化因子、抗糖尿病薬剤、または両方が、最適以下の量で存在する組成物。
【請求項３】
請求項１の医薬組成物であって、グルコキナーゼ活性化因子が肝臓選択的グルコキナーゼ活性化因子である組成物。
【請求項４】
請求項３の医薬組成物であって、グルコキナーゼ活性化因子が、｛２−［３−シクロヘキシル−３−（トランス−４−プロポキシ−シクロヘキシル）−ウレイド］−チアゾル−５−イルスルファニル｝−酢酸または薬学的に許容されうるその塩である組成物。
【請求項５】
請求項１の医薬組成物であって、抗糖尿病薬剤がシタグリプチンまたは薬学的に許容されうるその塩である組成物。
【請求項６】
請求項１の医薬組成物であって、抗糖尿病薬剤がエキセナチドまたは薬学的に許容されうるその塩である組成物。
【請求項７】
ＩＩ型糖尿病を治療する方法に使用するための医薬組成物であって、グルコキナーゼ活性化因子または薬学的に許容されうるその塩、ならびにＤＰＰ−ＩＶ阻害剤およびＧＬＰ−１類似体または薬学的に許容されうるその塩からなる群より選択される抗糖尿病薬剤を含む組成物。
【請求項８】
請求項７の医薬組成物であって、グルコキナーゼ活性化因子、抗糖尿病薬剤、または両方が最適以下の量で存在する組成物。
【請求項９】
請求項７の医薬組成物であって、グルコキナーゼ活性化因子が肝臓選択的グルコキナーゼ活性化因子である組成物。
【請求項１０】
請求項９の医薬組成物であって、グルコキナーゼ活性化因子が、｛２−［３−シクロヘキシル−３−（トランス−４−プロポキシ−シクロヘキシル）−ウレイド］−チアゾル−５−イルスルファニル｝−酢酸または薬学的に許容されうるその塩である組成物。
【請求項１１】
請求項７の医薬組成物であって、抗糖尿病薬剤がシタグリプチンまたは薬学的に許容されうるその塩である組成物。
【請求項１２】
請求項７の医薬組成物であって、抗糖尿病薬剤がエキセナチドまたは薬学的に許容されうるその塩である組成物。
【請求項１３】
血糖コントロールを改善する方法に使用するための医薬組成物であって、グルコキナーゼ活性化因子または薬学的に許容されうるその塩、ならびにＤＰＰ−ＩＶ阻害剤およびＧＬＰ−１類似体または薬学的に許容されうるその塩からなる群より選択される抗糖尿病薬剤を含む組成物。
【請求項１４】
請求項１３の医薬組成物であって、グルコキナーゼ活性化因子、抗糖尿病薬剤、または両方が最適以下の量で存在する組成物。
【請求項１５】
請求項１３の医薬組成物であって、グルコキナーゼ活性化因子が肝臓選択的グルコキナーゼ活性化因子である組成物。
【請求項１６】
請求項１５の医薬組成物であって、グルコキナーゼ活性化因子が、｛２−［３−シクロヘキシル−３−（トランス−４−プロポキシ−シクロヘキシル）−ウレイド］−チアゾル−５−イルスルファニル｝−酢酸または薬学的に許容されうるその塩である組成物。
【請求項１７】
請求項１３の医薬組成物であって、抗糖尿病薬剤がシタグリプチンまたは薬学的に許容されうるその塩である組成物。
【請求項１８】
請求項１３の医薬組成物であって、抗糖尿病薬剤がエキセナチドまたは薬学的に許容されうるその塩である組成物。
【請求項１９】
被験体における状態を治療する方法に使用するための医薬組成物であって、グルコキナーゼ活性化因子または薬学的に許容されうるその塩、ならびにＤＰＰ−ＩＶ阻害剤およびＧＬＰ−１類似体または薬学的に許容されうるその塩からなる群より選択される抗糖尿病薬剤を含み、状態が、代謝障害、グルコース不耐性、糖尿病前症、インスリン耐性、高血糖症、耐糖能障害（ＩＧＴ）、シンドロームＸ、空腹時血糖異常（ＩＦＧ）、Ｉ型糖尿病、脂質異常症、高脂血症、高リポタンパク血症、高血圧、骨粗鬆症、非アルコール性脂肪性肝疾患（ＮＡＦＬＤ）、糖尿病から生じるかまたは糖尿病に関連する合併症、心臓血管疾患、および肥満からなる群より選択される組成物。
【請求項２０】
請求項１９の医薬組成物であって、ｉ）糖尿病から生じるかまたは糖尿病に関連する合併症が、腎障害、網膜症、神経障害および創傷治癒障害からなる群より選択されるか、あるいはｉｉ）心臓血管疾患が、動脈硬化症およびアテローム性動脈硬化症からなる群より選択される組成物。
【請求項２１】
血糖を正常化するかまたは低下させるか；ＩＧＴからＩＩ型糖尿病までを遅延させるか；インスリン非要求性ＩＩ型糖尿病のインスリン要求性ＩＩ型糖尿病への進行を遅延させるか；食物摂取を低下させるか；食欲を制御するか；摂食行動を制御するか；エンテロインクレチン（ｅｎｔｅｒｏｉｎｃｒｅｔｉｎ）の分泌を増進させるか；グルコース耐性を改善するか；空腹時血漿グルコースを減少させるか；食後血漿グルコースを減少させるか；グリコシル化ヘモグロビンＨｂＡ１ｃを減少させるか；糖尿病の進行を緩慢にし、糖尿病の合併症を遅延させるかまたは治療するか；体重を減少させるかまたは体重増加を防止するかまたは体重減少を促進するか；膵臓ベータ細胞の変性を治療するか；膵臓ベータ細胞の機能性を改善し、そして／または回復させるか；膵臓インスリン分泌の機能性を刺激し、そして／または回復させるか；グルコースのリン酸化を増進させるか；インスリン感受性を維持するか；インスリン感受性を改善するか；高インスリン血症を治療するか；あるいはインスリン耐性を治療する方法に使用するための医薬組成物であって、グルコキナーゼ活性化因子または薬学的に許容されうるその塩、ならびにＤＰＰ−ＩＶ阻害剤およびＧＬＰ−１類似体または薬学的に許容されうるその塩からなる群より選択される抗糖尿病薬剤を含む組成物。
【請求項２２】
ＩＩ型糖尿病を治療する方法に使用するための医薬組成物であって、グルコキナーゼ活性化因子または薬学的に許容されうるその塩、ならびにシタグリプチンおよびエキセナチドまたは薬学的に許容されうるその塩からなる群より選択される抗糖尿病薬剤からなる組成物。
【請求項２３】
血糖コントロールを改善する方法に使用するための医薬組成物であって、グルコキナーゼ活性化因子または薬学的に許容されうるその塩、ならびにシタグリプチンおよびエキセナチドまたは薬学的に許容されうるその塩からなる群より選択される抗糖尿病薬剤からなる組成物。
【手続補正書】
【提出日】平成28年5月13日(2016.5.13)
【手続補正１】
【補正対象書類名】特許請求の範囲
【補正対象項目名】全文
【補正方法】変更
【補正の内容】
【特許請求の範囲】
【請求項１】
(4S,4aS,5aR,12aS)-4-ジメチルアミノ-3,10,12,12a-テトラヒドロキシ-7-[(メトキシ(メチル)アミノ)-メチル]-1,11-ジオキソ-1,4,4a,5,5a,6,11,12a-オクタヒドロ-ナフタセン-2-カルボン酸アミドまたはその薬学的に許容される塩を含有する、メチシリン耐性黄色ブドウ球菌(Staphylococcus aureus)(MRSA)感染症の治療のための医薬組成物。
【請求項２】
薬学的に許容される塩が結晶性モノ塩酸塩、結晶性モノメシル酸塩、および結晶性モノ硫酸塩からなる群より選択される、請求項1記載の組成物。
【請求項３】
前記塩がモノ塩酸塩である、請求項2記載の組成物。
【請求項４】
前記塩がモノメシル酸塩である、請求項2記載の組成物。
【請求項５】
前記塩がモノ硫酸塩である、請求項2記載の組成物。
【請求項６】
MRSAが市中感染型MRSA(MRSA-CA)および院内感染型MRSA(MRSA-HA)から選択される、請求項1記載の組成物。
【請求項７】
(4S,4aS,5aR,12aS)-4-ジメチルアミノ-3,10,12,12a-テトラヒドロキシ-7-[(メトキシ(メチル)アミノ)-メチル]-1,11-ジオキソ-1,4,4a,5,5a,6,11,12a-オクタヒドロ-ナフタセン-2-カルボン酸アミドまたはその薬学的に許容される塩を含有する、消化性潰瘍の治療のための医薬組成物。
【請求項８】
薬学的に許容される塩が結晶性モノ塩酸塩、結晶性モノメシル酸塩、および結晶性モノ硫酸塩からなる群より選択される、請求項7記載の組成物。
【請求項９】
前記塩がモノ塩酸塩である、請求項8記載の組成物。
【請求項１０】
前記塩がモノメシル酸塩である、請求項8記載の組成物。
【請求項１１】
前記塩がモノ硫酸塩である、請求項8記載の組成物。
【請求項１２】
少なくとも1種の追加の活性成分をさらに含有する、請求項7記載の組成物。
【請求項１３】
少なくとも1種の追加の活性成分がプロトンポンプ阻害剤およびビスマスから選択される、請求項12記載の組成物。
【請求項１４】
(4S,4aS,5aR,12aS)-4-ジメチルアミノ-3,10,12,12a-テトラヒドロキシ-7-[(メトキシ(メチル)アミノ)-メチル]-1,11-ジオキソ-1,4,4a,5,5a,6,11,12a-オクタヒドロ-ナフタセン-2-カルボン酸アミドまたはその薬学的に許容される塩を含有する、ヘリコバクター・ピロリ(Helicobacter pylori)感染症の治療のための医薬組成物。
【請求項１５】
薬学的に許容される塩が結晶性モノ塩酸塩、結晶性モノメシル酸塩、および結晶性モノ硫酸塩からなる群より選択される、請求項14記載の組成物。
【請求項１６】
前記塩がモノ塩酸塩である、請求項15記載の組成物。
【請求項１７】
前記塩がモノメシル酸塩である、請求項15記載の組成物。
【請求項１８】
前記塩がモノ硫酸塩である、請求項15記載の組成物。
【請求項１９】
(4S,4aS,5aR,12aS)-4-ジメチルアミノ-3,10,12,12a-テトラヒドロキシ-7-[(メトキシ(メチル)アミノ)-メチル]-1,11-ジオキソ-1,4,4a,5,5a,6,11,12a-オクタヒドロ-ナフタセン-2-カルボン酸アミドまたはその薬学的に許容される塩を含有する、クラミジア・トラコマチス(Chlamydia trachomatis)感染症の治療のための医薬組成物。
【請求項２０】
薬学的に許容される塩が結晶性モノ塩酸塩、結晶性モノメシル酸塩、および結晶性モノ硫酸塩からなる群より選択される、請求項19記載の組成物。
【請求項２１】
前記塩がモノ塩酸塩である、請求項20記載の組成物。
【請求項２２】
前記塩がモノメシル酸塩である、請求項20記載の組成物。
【請求項２３】
前記塩がモノ硫酸塩である、請求項20記載の組成物。
【手続補正書】
【提出日】平成28年5月12日(2016.5.12)
【手続補正１】
【補正対象書類名】特許請求の範囲
【補正対象項目名】全文
【補正方法】変更
【補正の内容】
【特許請求の範囲】
【請求項１】
以下の
【化２６−１】
2015517528.tif 000001
【化２６−２】
2015517528.tif 000002
から選択される化合物、またはその薬学的に許容される塩もしくはプロドラッグ。
【請求項２】
以下の
【化２７−１】
2015517528.tif 000003
【化２７−２】
2015517528.tif 000004
【化２７−３】
2015517528.tif 000005
【化２７−４】
2015517528.tif 000006
から選択される化合物、またはその薬学的に許容される塩もしくはプロドラッグ。
【請求項３】
請求項１もしくは請求項２に記載の化合物または薬学的に許容されるその塩、および少なくとも１種の薬学的に許容される担体を含む医薬組成物。
【請求項４】
障害Ｃ型肝炎（ＨＣＶ）の処置において使用するための、請求項３に記載の医薬組成物。
【請求項５】
ＨＣＶを処置するための少なくとも１種のさらなる治療剤をさらに含む、請求項３に記載の医薬組成物。
【請求項６】
前記さらなる治療剤が、リバビリン、ＮＳ３プロテアーゼ阻害剤、ＨＣＶ  ＮＳ５Ｂポリメラーゼのヌクレオシドもしくはヌクレオチド阻害剤、アルファ−グルコシダーゼ１阻害剤、肝臓保護剤、ＨＣＶポリメラーゼの非ヌクレオシド阻害剤、またはこれらの組合せから選択される、請求項５に記載の医薬組成物。
【請求項７】
ＨＣＶ  ＮＳ５Ｂポリメラーゼのヌクレオシドまたはヌクレオチド阻害剤をさらに含む、請求項３に記載の医薬組成物。
【請求項８】
前記ＨＣＶ  ＮＳ５Ｂポリメラーゼのヌクレオシドまたはヌクレオチド阻害剤が、リバビリン、ビラミジン、レボビリン、Ｌ−ヌクレオシドまたはイサトリビンから選択される、請求項７に記載の医薬組成物。
【請求項９】
請求項１または２に記載の化合物、少なくとも１種のＨＣＶ  ＮＳ５Ｂポリメラーゼのヌクレオシドまたはヌクレオチド阻害剤、および少なくとも１種の薬学的に許容される担体を含む医薬組成物。
【請求項１０】
インターフェロン、ペグ化インターフェロン、リバビリンまたはこれらの組合せをさらに含む、請求項９に記載の医薬組成物。
【請求項１１】
前記ＨＣＶ  ＮＳ５Ｂポリメラーゼのヌクレオシドまたはヌクレオチド阻害剤が、ソホスブビルである、請求項９または１０のいずれか一項に記載の医薬組成物。
【請求項１２】
請求項１または２に記載の化合物、少なくとも１種のＮＳ３プロテアーゼ阻害剤、および少なくとも１種の薬学的に許容される担体を含む医薬組成物。
【請求項１３】
ソホスブビルをさらに含む、請求項１２に記載の医薬組成物。
【請求項１４】
治療有効量の請求項１もしくは２に記載の化合物またはその薬学的に許容される塩もしくはプロドラッグを含む、Ｃ型肝炎を処置するための組成物。
【請求項１５】
インターフェロンまたはペグ化インターフェロンをさらに含む、請求項１４に記載の組成物。
【請求項１６】
リバビリンをさらに含む、請求項１４〜１５のいずれか一項に記載の組成物。
【請求項１７】
医学療法において使用するための、請求項１もしくは２のいずれか一項に記載の化合物またはその薬学的に許容される塩もしくはプロドラッグを含む組成物。
【手続補正２】
【補正対象書類名】明細書
【補正対象項目名】００２３
【補正方法】変更
【補正の内容】
【００２３】
本明細書に記載のような化合物は、いくつかのＨＣＶ遺伝子型に対して有用な活性を所有することが見出されてきた。さらに、本明細書に記載のようなある特定の化合物は、例えば、ＧＴ１における耐性バリアントに対する有意な効力を示す。
一実施形態において、例えば、以下の項目が提供される。
（項目１）
以下の
【化２６−１】
2015517528.tif 000007
【化２６−２】
2015517528.tif 000008
から選択される化合物、またはその薬学的に許容される塩もしくはプロドラッグ。
（項目２）
以下の
【化２７−１】
2015517528.tif 000009
【化２７−２】
2015517528.tif 000010
【化２７−３】
2015517528.tif 000011
【化２７−４】
2015517528.tif 000012
から選択される化合物、またはその薬学的に許容される塩もしくはプロドラッグ。
（項目３）
項目１もしくは項目２に記載の化合物または薬学的に許容されるその塩、および少なくとも１種の薬学的に許容される担体を含む医薬組成物。
（項目４）
障害Ｃ型肝炎（ＨＣＶ）の処置において使用するための、項目３に記載の医薬組成物。
（項目５）
ＨＣＶを処置するための少なくとも１種のさらなる治療剤をさらに含む、項目３に記載の医薬組成物。
（項目６）
前記さらなる治療剤が、リバビリン、ＮＳ３プロテアーゼ阻害剤、ＨＣＶ  ＮＳ５Ｂポリメラーゼのヌクレオシドもしくはヌクレオチド阻害剤、アルファ−グルコシダーゼ１阻害剤、肝臓保護剤、ＨＣＶポリメラーゼの非ヌクレオシド阻害剤、またはこれらの組合せから選択される、項目５に記載の医薬組成物。
（項目７）
ＨＣＶ  ＮＳ５Ｂポリメラーゼのヌクレオシドまたはヌクレオチド阻害剤をさらに含む、項目３に記載の医薬組成物。
（項目８）
前記ＨＣＶ  ＮＳ５Ｂポリメラーゼのヌクレオシドまたはヌクレオチド阻害剤が、リバビリン、ビラミジン、レボビリン、Ｌ−ヌクレオシドまたはイサトリビンから選択される、項目７に記載の医薬組成物。
（項目９）
項目１または２に記載の化合物、少なくとも１種のＨＣＶ  ＮＳ５Ｂポリメラーゼのヌクレオシドまたはヌクレオチド阻害剤、および少なくとも１種の薬学的に許容される担体を含む医薬組成物。
（項目１０）
インターフェロン、ペグ化インターフェロン、リバビリンまたはこれらの組合せをさらに含む、項目９に記載の医薬組成物。
（項目１１）
前記ＨＣＶ  ＮＳ５Ｂポリメラーゼのヌクレオシドまたはヌクレオチド阻害剤が、ソホスブビルである、項目９または１０のいずれか一項に記載の医薬組成物。
（項目１２）
項目１または２に記載の化合物、少なくとも１種のＮＳ３プロテアーゼ阻害剤、および少なくとも１種の薬学的に許容される担体を含む医薬組成物。
（項目１３）
ソホスブビルをさらに含む、項目１２に記載の医薬組成物。
（項目１４）
ヒト患者に、治療有効量の項目１もしくは２に記載の化合物またはその薬学的に許容される塩もしくはプロドラッグを含む、医薬組成物を投与することを含む、Ｃ型肝炎を処置する方法。
（項目１５）
前記患者にインターフェロンまたはペグ化インターフェロンを投与することをさらに含む、項目１４に記載の方法。
（項目１６）
前記患者にリバビリンを投与することをさらに含む、項目１４〜１５のいずれか一項に記載の方法。
（項目１７）
医学療法において使用するための、項目１もしくは２のいずれか一項に記載の化合物またはその薬学的に許容される塩もしくはプロドラッグ。
【手続補正書】
【提出日】平成28年5月13日(2016.5.13)
【手続補正１】
【補正対象書類名】特許請求の範囲
【補正対象項目名】全文
【補正方法】変更
【補正の内容】
【特許請求の範囲】
【請求項１】
（a）約2mg／kg〜約15mg／kgのNotch2／3抗体の初回用量が患者に投与されるように用いられ、
（b）約2mg／kg〜約15mg／kgのNotch2／3抗体の追加用量が毎週1回、2週間毎に1回、3週間毎に1回、または4週間毎に1回投与されるように用いられる、
Notch2／3抗体を含む、ヒト患者における癌を治療するための薬剤であって、
Notch2／3抗体が、ヒトNotch2の細胞外ドメインおよび／またはヒトNotch 3の細胞外ドメインと特異的に結合し、かつ、SSSGMS（SEQ ID NO：10）を含む重鎖CDR1、VIASSGSNTYYADSVKG（SEQ ID NO：11）を含む重鎖CDR2、およびSIFYTT（SEQ ID NO：12）またはGIFFAI（SEQ ID NO：13）を含む重鎖CDR3、ならびにRASQSVRSNYLA（SEQ ID NO：14）を含む軽鎖CDR1、GASSRAT（SEQ ID NO：15）を含む軽鎖CDR2、およびQQYSNFPI（SEQ ID NO：16）を含む軽鎖CDR3を含む、
薬剤。
【請求項２】
Notch2／3抗体の追加用量が毎週1回投与されるように用いられる、請求項1記載の薬剤。
【請求項３】
Notch2／3抗体の追加用量が2週間毎に1回投与されるように用いられる、請求項1記載の薬剤。
【請求項４】
Notch2／3抗体の追加用量が3週毎に1回投与されるように用いられる、請求項1記載の薬剤。
【請求項５】
Notch2／3抗体が、患者に対して合計3、4、5、6、7、8サイクル、またはそれを上回るサイクルにわたって投与されるように用いられる、請求項1〜4のいずれか一項記載の薬剤。
【請求項６】
Notch2／3抗体の初回用量が、約2.5mg／kg、約5mg／kg、約7.5mg／kg、約10mg／kg、約12.5mg／kg、または約15mg／kgである、請求項1〜5のいずれか一項記載の薬剤。
【請求項７】
Notch2／3抗体の追加用量が、約2.5mg／kg、約5mg／kg、約7.5mg／kg、約10mg／kg、約12.5mg／kg、または約15mg／kgである、請求項1〜6のいずれか一項記載の薬剤。
【請求項８】
癌が以下のものからなる群より選択される、請求項1〜7のいずれか一項記載の薬剤：膵臓癌、結腸直腸癌、肺癌、乳癌、結腸癌、黒色腫、神経膠腫、胃腸癌、腎癌、卵巣癌、肝臓癌、子宮内膜癌、腺様嚢胞癌、腎臓癌、前立腺癌、甲状腺癌、神経芽腫、多形性神経膠芽腫、子宮頸癌、胃癌、膀胱癌、肝癌、および頭頸部癌。
【請求項９】
癌が膵臓癌である、請求項8記載の薬剤。
【請求項１０】
癌が肺癌である、請求項8記載の薬剤。
【請求項１１】
癌が結腸直腸癌または結腸癌である、請求項8記載の薬剤。
【請求項１２】
Notch2／3抗体が、SEQ ID NO：5またはSEQ ID NO：6のアミノ酸を含む重鎖可変領域、およびSEQ ID NO：9のアミノ酸を含む軽鎖可変領域を含む、請求項1〜11のいずれか一項記載の薬剤。
【請求項１３】
Notch2／3抗体が、寄託番号PTA-10170またはPTA-9547を有する、ATCCに寄託されたプラスミドによってコードされる抗体と同じ重鎖可変領域アミノ酸配列および軽鎖可変領域アミノ酸配列を含む、請求項1〜12のいずれか一項記載の薬剤。
【請求項１４】
Notch2／3抗体が、ATCC寄託番号PTA-10170またはPTA-9547を有するプラスミドによってコードされる、請求項1〜12のいずれか一項記載の薬剤。
【請求項１５】
Notch2／3抗体が、少なくとも1つのさらなる治療薬との併用療法の形で投与されるように用いられる、請求項1〜14のいずれか一項記載の薬剤。
【請求項１６】
さらなる治療薬が化学療法薬である、請求項15記載の薬剤。
【請求項１７】
さらなる治療薬がアルブミン結合パクリタキセル（アブラキサン（ABRAXANE））である、請求項15記載の薬剤。
【請求項１８】
さらなる治療薬がゲムシタビンである、請求項15記載の薬剤。
【請求項１９】
さらなる治療薬がゲムシタビンおよびアブラキサンである、請求項15記載の薬剤。
【請求項２０】
さらなる治療薬がエトポシドである、請求項15記載の薬剤。
【請求項２１】
さらなる治療薬がシスプラチンである、請求項15記載の薬剤。
【請求項２２】
さらなる治療薬がエトポシドおよびシスプラチンである、請求項15記載の薬剤。
【請求項２３】
さらなる治療薬がカルボプラチンである、請求項15記載の薬剤。
【請求項２４】
さらなる治療薬がペメトレキセドである、請求項15記載の薬剤。
【請求項２５】
さらなる治療薬がカルボプラチンおよびペメトレキセドである、請求項15記載の薬剤。
【請求項２６】
患者に対してNotch2／3抗体が約5mg／kg〜約15mg／kgの用量で2週間毎に1回投与されるように用いられる、Notch2／3抗体を含む、ヒト患者における膵臓癌を治療するための薬剤であって、Notch2／3抗体が、ヒトNotch2の細胞外ドメインおよび／またはヒトNotch3の細胞外ドメインと特異的に結合し、かつ、SSSGMS（SEQ ID NO：10）を含む重鎖CDR1、VIASSGSNTYYADSVKG（SEQ ID NO：11）を含む重鎖CDR2、およびSIFYTT（SEQ ID NO：12）またはGIFFAI（SEQ ID NO：13）を含む重鎖CDR3、ならびにRASQSVRSNYLA（SEQ ID NO：14）を含む軽鎖CDR1、GASSRAT（SEQ ID NO：15）を含む軽鎖CDR2、およびQQYSNFPI（SEQ ID NO：16）を含む軽鎖CDR3を含む、薬剤。
【請求項２７】
Notch2／3抗体が、ゲムシタビンおよびアルブミン結合パクリタキセルとの併用療法の形で投与されるように用いられる、請求項26記載の薬剤。
【請求項２８】
患者に対してNotch2／3抗体が約5mg／kg〜約15mg／kgの用量で3週間毎に1回投与されるように用いられる、Notch2／3抗体を含む、ヒト患者における肺癌を治療するための薬剤であって、Notch2／3抗体が、ヒトNotch2の細胞外ドメインおよび／またはヒトNotch3の細胞外ドメインと特異的に結合し、かつ、SSSGMS（SEQ ID NO：10）を含む重鎖CDR1、VIASSGSNTYYADSVKG（SEQ ID NO：11）を含む重鎖CDR2、およびSIFYTT（SEQ ID NO：12）またはGIFFAI（SEQ ID NO：13）を含む重鎖CDR3、ならびにRASQSVRSNYLA（SEQ ID NO：14）を含む軽鎖CDR1、GASSRAT（SEQ ID NO：15）を含む軽鎖CDR2、およびQQYSNFPI（SEQ ID NO：16）を含む軽鎖CDR3を含む、薬剤。
【請求項２９】
Notch2／3抗体が、エトポシドおよびシスプラチンとの併用療法の形で投与されるように用いられる、請求項28記載の薬剤。
【手続補正書】
【提出日】平成28年3月17日(2016.3.17)
【手続補正１】
【補正対象書類名】特許請求の範囲
【補正対象項目名】全文
【補正方法】変更
【補正の内容】
【特許請求の範囲】
【請求項１】
式（Ｉ）による少なくとも１種類のベンゾジアゼピン
【化４９】
2015517552.tif 000001
（式中
ＷはＨであり；
ＸはＣＨ２であり；ｎは１であり；
ＹはＣＨ２であり；ｍは１であり；
ＺはＯであり；
Ｒ１は、ＣＨ３、ＣＨ２ＣＨ３、ＣＨ２ＣＨ２ＣＨ３、ＣＨ（ＣＨ３）２またはＣＨ２ＣＨ（ＣＨ３）２であり；
Ｒ２は２−フルオロフェニル、２−クロロフェニルまたは２−ピリジルであり、
Ｒ３はＣｌまたはＢｒであり；
Ｒ４、Ｒ５およびＲ６が−ＣＲ８＝Ｕ−Ｖ＝基（式中、Ｒ８は水素、Ｃ１〜４アルキルまたはＣ１〜３ヒドロキシアルキルであり、ＵはＮまたはＣＲ９（式中、Ｒ９はＨ、Ｃ１〜４アルキル、Ｃ１〜３ヒドロキシアルキルまたはＣ１〜４アルコキシである）であり、ＶはＮまたはＣＨである）を形成しており、ｐがゼロである）
またはその薬学的に許容され得る塩を含む凍結乾燥または噴霧乾燥組成物であって、
該組成物は、少なくとも１種類の薬学的に許容され得る吸湿性賦形剤を含み、該吸湿性賦形剤は二糖類およびデキストランからなる群より選択される炭水化物であり、任意選択で該組成物は少なくとも部分的にアモルファスである、凍結乾燥または噴霧乾燥組成物。
【請求項２】
式（Ｉ）による前記ベンゾジアゼピンは、３−［（４Ｓ）−８−ブロモ−１−メチル−６−（ピリジン−２−イル）−４Ｈ−イミダゾ［１，２−ａ］［１，４］ベンゾジアゼピン−４−イル］プロパン酸メチル（レミマゾラム）である、請求項１に記載の組成物。
【請求項３】
前記ベンゾジアゼピンの前記薬学的に許容され得る塩において、前記組成物がカチオン形態で製剤化されており、対イオンが、ベンゼンスルホン酸イオン（ベシル酸イオン）である、請求項２に記載の組成物。
【請求項４】
前記デキストランが１５０ｋＤ未満の分子量を有するものである、請求項１〜３のいずれかに記載の組成物。
【請求項５】
前記二糖が、ラクトース、マルトース、スクロースおよびトレハロースからなる群より選択される、請求項１〜３のいずれかに記載の組成物。
【請求項６】
前記組成物が、第１の吸湿性賦形剤と第２の吸湿性賦形剤との混合物を含むものである、請求項１〜３のいずれかに記載の組成物。
【請求項７】
前記組成物が、二糖とデキストランとの混合物、好ましくはラクトースとデキストランとの混合物を含むものである、請求項６に記載の組成物。
【請求項８】
ラクトースとデキストランとの重量％比が１：１．０〜１：１０、好ましくは１：１．２〜１：５であり、より好ましくは１：１．５または１：４である、請求項７に記載の組成物。
【請求項９】
前記組成物中の吸湿性賦形剤の総量とベンゾジアゼピンまたはその塩の総量（塩基として計算）との重量％比が２０：１〜１：１、好ましくは１２：１〜３：１、最も好ましくは９：１〜３：１である、請求項１〜３のいずれかに記載の組成物。
【請求項１０】
医薬製剤である、請求項１〜３のいずれかに記載の組成物。
【請求項１１】
式（Ｉ）による少なくとも１種類のベンゾジアゼピン
【化４９】
2015517552.tif 000002
（式中
ＷはＨであり；
ＸはＣＨ２であり；ｎは１であり；
ＹはＣＨ２であり；ｍは１であり；
ＺはＯであり；
Ｒ１は、ＣＨ３、ＣＨ２ＣＨ３、ＣＨ２ＣＨ２ＣＨ３、ＣＨ（ＣＨ３）２またはＣＨ２ＣＨ（ＣＨ３）２であり；
Ｒ２は２−フルオロフェニル、２−クロロフェニルまたは２−ピリジルであり、
Ｒ３はＣｌまたはＢｒであり；
Ｒ４、Ｒ５およびＲ６が−ＣＲ８＝Ｕ−Ｖ＝基（式中、Ｒ８は水素、Ｃ１〜４アルキルまたはＣ１〜３ヒドロキシアルキルであり、ＵはＮまたはＣＲ９（式中、Ｒ９はＨ、Ｃ１〜４アルキル、Ｃ１〜３ヒドロキシアルキルまたはＣ１〜４アルコキシである）であり、ＶはＮまたはＣＨである）を形成しており、ｐがゼロである）
またはその薬学的に許容され得る塩を含む安定な凍結乾燥または安定な噴霧乾燥組成物であって、
該組成物は、少なくとも１種類の薬学的に許容され得る吸湿性賦形剤を含み、該吸湿性賦形剤は炭水化物であり、任意選択で該組成物は少なくとも部分的にアモルファスである、安定な凍結乾燥または安定な噴霧乾燥組成物。
【請求項１２】
式（Ｉ）による少なくとも１種類のベンゾジアゼピン
【化４９】
2015517552.tif 000003
（式中
ＷはＨであり；
ＸはＣＨ２であり；ｎは１であり；
ＹはＣＨ２であり；ｍは１であり；
ＺはＯであり；
Ｒ１は、ＣＨ３、ＣＨ２ＣＨ３、ＣＨ２ＣＨ２ＣＨ３、ＣＨ（ＣＨ３）２またはＣＨ２ＣＨ（ＣＨ３）２であり；
Ｒ２は２−フルオロフェニル、２−クロロフェニルまたは２−ピリジルであり、
Ｒ３はＣｌまたはＢｒであり；
Ｒ４、Ｒ５およびＲ６が−ＣＲ８＝Ｕ−Ｖ＝基（式中、Ｒ８は水素、Ｃ１〜４アルキルまたはＣ１〜３ヒドロキシアルキルであり、ＵはＮまたはＣＲ９（式中、Ｒ９はＨ、Ｃ１〜４アルキル、Ｃ１〜３ヒドロキシアルキルまたはＣ１〜４アルコキシである）であり、ＶはＮまたはＣＨである）を形成しており、ｐがゼロである）
またはその薬学的に許容され得る塩を含む組成物であって、
該組成物は、少なくとも１種類の薬学的に許容され得る吸湿性賦形剤を含み、該吸湿性賦形剤は炭水化物であり、任意選択で該組成物は少なくとも部分的にアモルファスであり、凍結乾燥または凍結／乾燥時に、安定な凍結乾燥または安定な凍結／乾燥組成物を生じる、
組成物。
【請求項１３】
前記安定な組成物は、４０℃／７５％相対湿度の保存条件で１３週間の保存中に、前記ペンゾジアゼピンのカルボン酸エステル部分の１％未満が加水分解される組成物である、請求項１１または１２に記載の組成物。
【請求項１４】
前記吸湿性賦形剤は、２５℃および１０１３，２５ｈＰａで水分子に可逆的に結合する物質である、請求項１１または１２に記載の組成物。
【請求項１５】
請求項１に記載のカルボン酸エステル部分を有するベンゾジアゼピンまたはその薬学的に許容され得る塩、特にレミマゾラムを含む医薬組成物を調製するための、少なくとも１種類の二糖と少なくとも１種類のデキストランとの混合物の使用。
【請求項１６】
ａ）請求項１に記載のベンゾジアゼピンまたはその薬学的に許容され得る塩、特にレミマゾラムを含む溶液を準備する工程；
ｂ）二糖類およびデキストランからなる群より選択される炭水化物である少なくとも１種類の吸湿性賦形剤または少なくとも別の吸湿性賦形剤とのその混合物を添加する工程；
ｃ）工程ｂ）の溶液を凍結乾燥または噴霧乾燥によって乾燥させる工程
を含む、医薬組成物を調製する方法。
【手続補正書】
【提出日】平成28年5月20日(2016.5.20)
【手続補正１】
【補正対象書類名】特許請求の範囲
【補正対象項目名】全文
【補正方法】変更
【補正の内容】
【特許請求の範囲】
【請求項１】
下記一般式（Ａ）を有し、任意に、薬学的に許容可能な塩、溶媒和物、多形、コドラッグ、共結晶、プロドラッグ、互変異性体、ラセミ体、エナンチオマー若しくはジアステレオマー、又はそれらの混合物の形態であってもよい化合物：
【化１】
2015517555.tif 000001
（式中、
Ｒ＊は−Ｈ、−Ｈａｌ、−（任意に置換されたＣ１〜６アルキル）、−（任意に置換されたＣ３〜７シクロアルキル）、−（任意に置換されたアリール）、−Ｃ１〜４アルキル−（任意に置換されたＣ３〜７シクロアルキル）、−Ｃ１〜４アルキル−（任意に置換されたアリール）又は−Ｘ１−Ｒ１であり、
Ｘ１はＯ、Ｃ（Ｏ）、Ｃ（Ｏ）Ｏ、ＯＣ（Ｏ）；Ｓ、ＳＯ、ＳＯ２、ＮＲ４、Ｎ（Ｒ５）Ｃ（Ｏ）、Ｃ（Ｏ）ＮＲ５であり、
Ｘ２はＯ、Ｓ、ＮＲ４であり、
Ｘ３はＯ又はＳであり、
Ｘ４はＯ又はＳであり、
Ｒ１は−Ｈ、−（任意に置換されたＣ１〜６アルキル）、−（任意に置換されたＣ３〜７シクロアルキル）、−（任意に置換されたアリール）、−Ｃ１〜４アルキル−（任意に置換されたＣ３〜７シクロアルキル）、−Ｃ１〜４アルキル−（任意に置換されたアリール）であり、
Ｒ２は５個〜２０個の炭素原子と、任意にＯ、Ｎ及びＳから選択される１個〜４個のヘテロ原子とを含有し、少なくとも１つの環を含有する任意に置換されていてもよい炭化水素基であり、
Ｒ３は−Ｈ、−（任意に置換されたＣ１〜６アルキル）、−（任意に置換されたＣ３〜７シクロアルキル）、−（任意に置換されたアリール）又は−Ｃ１〜４アルキル−（任意に置換されたアリール）であり、Ｘ２がＮＲ４である場合、Ｒ３が−ＯＨであってもよく、Ｒ４は−Ｈ、−（任意に置換されたＣ１〜６アルキル）、−（任意に置換されたＣ３〜７シクロアルキル）、−（任意に置換されたアリール）、−Ｃ１〜４アルキル−（任意に置換されたＣ３〜７シクロアルキル）若しくは−Ｃ１〜４アルキル−（任意に置換されたアリール）であるか、又はＸ１がＮＲ４である場合、Ｒ４及びＲ１が結合してＯ、Ｓ若しくは更にはＮを任意に含有し得る５員〜７員の環を形成してもよく、若しくはＸ２がＮＲ４である場合、Ｒ４及びＲ３が結合してＯ、Ｓ若しくは更にはＮを任意に含有し得る５員〜７員の環を形成してもよく、
Ｒ５は−Ｈ、−（任意に置換されたＣ１〜６アルキル）、−（任意に置換されたＣ３〜７シクロアルキル）、−（任意に置換されたアリール）、−Ｃ１〜４アルキル−（任意に置換されたＣ３〜７シクロアルキル）又は−Ｃ１〜４アルキル−（任意に置換されたアリール）であり、
Ｒ６は−Ｈ又は−Ｃ１〜６アルキルであり、
前記アルキル基の任意の置換基はハロゲン、−ＣＮ、−ＮＲ６Ｒ６、−ＯＨ及び−Ｏ−Ｃ１〜６アルキルからなる群から選択され、
前記シクロアルキル基、アリール基又は炭化水素基の任意の置換基は−Ｃ１〜６アルキル、ハロゲン、−ＣＦ３、−ＣＮ、−Ｘ１−Ｒ５及び−Ｃ１〜４アルキル−アリールからなる群から選択される）。
【請求項２】
Ｘ１がＮＲ４である、請求項１に記載の化合物。
【請求項３】
Ｘ１がＮＲ４であり、Ｒ１及びＲ４が結合してＯ、Ｓ若しくは更にはＮを任意に含有し得る５員〜７員の環を形成する、請求項１に記載の化合物。
【請求項４】
Ｘ１がＮＲ４であり、Ｒ１が−ＳＯ２−Ｒ４である、請求項１に記載の化合物。
【請求項５】
Ｒ２が５個〜２０個の炭素原子と、任意に１個〜４個のヘテロ原子とを含有し、少なくとも２つの環を含有する任意に置換されていてもよい炭化水素基である、請求項１に記載の化合物。
【請求項６】
Ｒ２が以下のものからなる群から選択される、請求項１に記載の化合物：
【化２】
2015517555.tif 000002
（式中、
Ｘは非存在、ＣＨ２、ＮＨ、Ｃ（Ｏ）ＮＨ、Ｓ若しくはＯであり、
ＹはＣＨ２であるか、又は、
Ｘ及びＹが結合して飽和していても、若しくは不飽和であってもよい環付加、炭素環式若しくは複素環式の３員〜８員の環を形成してもよく、
Ｒは独立してＨ、−Ｃ１〜６アルキル、ハロゲン、−ＣＮ、−ＯＨ及び−Ｏ−Ｃ１〜６アルキルから選択される）。
【請求項７】
Ｒ３が−Ｈ、−Ｃ１〜６アルキル又はＢｚである、請求項１に記載の化合物。
【請求項８】
請求項１〜７のいずれかに定義される前記一般式（Ａ）を有し、任意に、薬学的に許容可能な塩、溶媒和物、多形、コドラッグ、共結晶、プロドラッグ、互変異性体、ラセミ体、エナンチオマー若しくはジアステレオマー、又はそれらの混合物の形態であってもよい化合物と、任意に薬学的に許容可能な添加剤とを含む医薬組成物。
【請求項９】
請求項１〜７のいずれかに定義される前記一般式（Ａ）を有し、任意に、薬学的に許容可能な塩、溶媒和物、多形、コドラッグ、共結晶、プロドラッグ、互変異性体、ラセミ体、エナンチオマー若しくはジアステレオマー、又はそれらの混合物の形態であってもよい化合物を含む、ウイルス性疾患の治療、改善又は予防に使用される、医薬。
【請求項１０】
前記ウイルス性疾患がヘルペスウイルス科、レトロウイルス科、フィロウイルス科、パラミクソウイルス科、ラブドウイルス科、オルトミクソウイルス科、ブニヤウイルス科、アレナウイルス科、コロナウイルス科、ピコルナウイルス科、トガウイルス科、フラビウイルス科によって引き起こされる、請求項９に記載の医薬。
【請求項１１】
前記ウイルス性疾患がインフルエンザである、請求項１０に記載の医薬。
【請求項１２】
更なる抗ウイルス剤を請求項１に記載の化合物と同時に又は連続して投与する、請求項９に記載の医薬。
【請求項１３】
（ｉ）請求項１に記載の一般式（Ａ）を有する化合物と、
（ｉｉ）下記から選択される少なくとも一種の医薬：
（ａ）前記一般式（Ａ）を有する化合物とは異なる少なくとも１つのポリメラーゼ阻害剤；
（ｂ）少なくとも１つのノイラミダーゼ阻害剤；
（ｃ）少なくとも１つのＭ２チャネル阻害剤；
（ｄ）少なくとも１つのαグルコシダーゼ阻害剤；
（ｅ）少なくとも１つの別のインフルエンザ標的のリガンド；及び
（ｆ）抗生物質、抗炎症剤、リポキシゲナーゼ阻害剤、ＥＰリガンド、ブラジキニンリガンド及びカンナビノイドリガンドから選択される少なくとも１つの薬剤
と、
任意に１つ又は複数の薬学的に許容可能な添加剤及び／又は担体と、
を含む医薬組成物。
【請求項１４】
ウイルス性疾患の治療、改善又は予防に使用される、請求項１３に記載の医薬組成物。
【請求項１５】
前記ウイルス性疾患がヘルペスウイルス科、レトロウイルス科、フィロウイルス科、パラミクソウイルス科、ラブドウイルス科、オルトミクソウイルス科、ブニヤウイルス科、アレナウイルス科、コロナウイルス科、ピコルナウイルス科、トガウイルス科、フラビウイルス科によって引き起こされる、請求項１４に記載の医薬組成物。
【請求項１６】
前記ウイルス性疾患がインフルエンザである、請求項１５に記載の医薬組成物。
【手続補正書】
【提出日】平成28年5月6日(2016.5.6)
【手続補正１】
【補正対象書類名】特許請求の範囲
【補正対象項目名】全文
【補正方法】変更
【補正の内容】
【特許請求の範囲】
【請求項１】
抑制された非α化顆粒デンプンを製造する方法であって、ここで前記方法が、８０重量％〜９６重量％のアルコール及び４重量％〜２０重量％の水を含み、アルコールと水の総量が１００％となるアルコール媒体中で、塩基と塩からなる群から選択される少なくとも１種の処理剤の存在下、少なくとも３５℃の温度で、非α化顆粒デンプンを加熱することを含む、方法。
【請求項２】
前記温度が少なくとも１２０℃である、請求項１に記載の方法。
【請求項３】
前記抑制された非α化顆粒デンプンからアルコール溶媒を除去する追加の工程を含む、請求項１に記載の方法。
【請求項４】
前記抑制された非α化顆粒デンプンをアルコール媒体から分離し、分離された抑制された非α化顆粒デンプンを加熱する追加の工程を含む、請求項１に記載の方法。
【請求項５】
前記抑制された非α化顆粒デンプンを蒸気で処理する追加の工程を含む、請求項１に記載の方法。
【請求項６】
前記非α化顆粒デンプンが、アルコール媒体中でスラリーの形態であり、そして前記スラリーのｐＨが少なくとも６である、請求項１に記載の方法。
【請求項７】
前記少なくとも１種の処理剤が塩基を含み、そして前記方法が、前記抑制された非α化顆粒デンプン中の塩基を酸で中和する追加の工程を含む、請求項１に記載の方法。
【請求項８】
前記少なくとも１種の処理剤がカルボン酸塩を含む、請求項１に記載の方法。
【請求項９】
前記少なくとも１種の処理剤がポリカルボン酸塩を含む、請求項１に記載の方法。
【請求項１０】
前記少なくとも１種の処理剤が、クエン酸の１種以上のナトリウム塩を含む、請求項１に記載の方法。
【請求項１１】
前記アルコール媒体が、塩基性又は中性である、請求項１に記載の方法。
【請求項１２】
請求項１に記載の方法であって、前記方法が、以下：
ａ）アルコール媒体中の非α化顆粒デンプンを、塩基の存在下、少なくとも３５℃の温度で加熱する工程；
ｂ）前記塩基を酸で中和する工程；
ｃ）抑制された非α化顆粒デンプンを前記アルコール媒体から分離する工程；及び
ｄ）前記抑制された非α化顆粒デンプンから、加熱によりアルコール溶媒を除去する工程
を含む、方法。
【請求項１３】
請求項１２に記載の方法であって、ここで、以下：
前記アルコール媒体が、水性エタノール媒体であり；
前記非α化顆粒デンプンが、前記アルコール媒体中でスラリーの形態であり；
前記水性エタノール媒体中で、前記非α化顆粒デンプンが、塩基の存在下で、１２０℃〜２００℃の温度で加熱され；そして、
前記分離された抑制された非α化顆粒デンプンが、１００℃〜２００℃の温度で、蒸気と接触して、残存エタノールが除去される、方法。
【請求項１４】
請求項１２に記載の方法であって、ここで以下：
工程ｂ）において、前記塩基が中和されて、中和スラリーが提供され；そして
工程ｂ）の後及び工程ｃ）の前に、前記方法が、さらに以下：
前記中和スラリーを、少なくとも３５℃の温度で加熱する工程
を含む、方法。
【請求項１５】
請求項１に記載の方法であって、ここで前記少なくとも１種の処理剤が、少なくとも１種のカルボン酸塩から選択され、そして前記方法が、さらに以下：
ａ）前記抑制された非α化顆粒デンプンを前記アルコール媒体から分離する工程；及び
ｂ）前記抑制された非α化顆粒デンプンから、加熱によりアルコール溶媒を除去する工程
を含む、方法。
【誤訳訂正書】
【提出日】平成28年2月4日(2016.2.4)
【誤訳訂正１】
【訂正対象書類名】特許請求の範囲
【訂正対象項目名】全文
【訂正方法】変更
【訂正の内容】
【特許請求の範囲】
【請求項１】
バルク金属ガラス（ＢＭＧ）を含む原料を製造する方法であって、粉末を圧密する工程を含み、
前記粉末が、前記ＢＭＧの元素を含み、前記粉末中の前記ＢＭＧの前記元素が、前記ＢＭＧのものと実質的に同じ重量パーセントを有し、
前記粉末は結合剤と共に圧密され、
前記結合剤は、前記ＢＭＧの前記元素の１つ、又は、前記ＢＭＧの複数の元素の複合体である、方法。
【請求項２】
前記粉末が、粉末状の前記ＢＭＧを含む、請求項１に記載の方法。
【請求項３】
前記粉末が、前記ＢＭＧの複数の元素の複合体を含む、請求項１に記載の方法。
【請求項４】
前記粉末が、前記ＢＭＧの複数の元素の合金を含む、請求項１に記載の方法。
【請求項５】
前記結合剤が、前記粉末の融解温度で蒸発する材料である、請求項１に記載の方法。
【請求項６】
前記粉末がシース内に圧密され、前記シースは前記粉末の融解温度で溶融しない、請求項１に記載の方法。
【請求項７】
ＢＭＧを含む原料を製造する方法であって、粉末をシース内に圧密する工程を含み、
前記シースが、前記粉末の融解温度で溶融し、
前記粉末及び前記シースが合わせて前記ＢＭＧを含み、
前記粉末中の前記ＢＭＧの元素が、前記ＢＭＧのものと実質的に同じ重量パーセントを有し、
前記粉末は結合剤と共に圧密され、
前記結合剤は、前記ＢＭＧの前記元素の１つ、又は、前記ＢＭＧの複数の元素の複合体である、方法。
【請求項８】
前記粉末が粉末状の前記ＢＭＧを含む、請求項７に記載の方法。
【請求項９】
前記粉末が、前記ＢＭＧの複数の元素の複合体を含む、請求項７に記載の方法。
【請求項１０】
前記粉末が、前記ＢＭＧの複数の元素の合金を含む、請求項７に記載の方法。
【請求項１１】
前記結合剤が、前記粉末の融解温度で蒸発する材料である、請求項１に記載の方法。
【請求項１２】
前記粉末が、ホットプレス、コールドプレス、押出成形、又は急速放電焼結により圧密される、請求項１に記載の方法。
【請求項１３】
前記粉末が、ホットプレス、コールドプレス、押出成形、又は急速放電焼結により圧密される、請求項７に記載の方法。
【請求項１４】
ＢＭＧを含む原料から部品を製造する方法であって、
前記部品の望ましい組成の各元素の重量が、粉末中の前記ＢＭＧの元素の重量に本質的に等しくなるように、前記部品の重量及び前記望ましい組成に基づいて、前記粉末の重量及び組成を決定する工程と、
前記原料を形成するために前記粉末を圧密する工程と、
を含み、
前記粉末が結合剤と共に圧密され、
前記結合剤は、前記ＢＭＧの前記元素の１つ、又は、前記ＢＭＧの複数の元素の複合体である、方法。
【請求項１５】
ＢＭＧを含む原料から部品を製造する方法であって、
前記部品の望ましい組成の各元素の重量が、粉末中及びシース中の前記ＢＭＧの元素の合計重量に本質的に等しくなるように、前記部品の重量及び前記望ましい組成、並びに、前記シースの重量及び組成に基づいて、前記粉末の重量及び組成を決定する工程と、
前記原料を形成するために前記粉末をシース内に圧密する工程と、
を含み、
前記粉末は結合剤と共に圧密され、
前記結合剤は、前記ＢＭＧの前記元素の１つ、又は、前記ＢＭＧの複数の元素の複合体である、方法。
【誤訳訂正２】
【訂正対象書類名】明細書
【訂正対象項目名】００６３
【訂正方法】変更
【訂正の内容】
【００６３】
図３に示す一実施形態において、粉末が圧密されて原料が形成される。この粉末はＢＭＧの元素を含み、粉末の元素は、ＢＭＧのものと同じ重量パーセントを有する。この粉末は、粉末形状のＢＭＧを含み得る。この粉末は、ＢＭＧの複数の元素の複合体又は合金を含み得る。この粉末は、結合剤と共に圧密され得る。結合剤は、粉末の融解温度で蒸発する材料、ＢＭＧの元素の１つ（例えばＢＭＧがＳｎを含む場合、Ｓｎ粉末は結合剤として機能し得る）、又は、ＢＭＧの複数の元素の複合体若しくは合金であり得る。一実施形態において、粉末はシース内に圧密されて原料を形成し、このシースは粉末の融解温度で溶融しない。
【手続補正書】
【提出日】平成28年3月10日(2016.3.10)
【手続補正１】
【補正対象書類名】特許請求の範囲
【補正対象項目名】全文
【補正方法】変更
【補正の内容】
【特許請求の範囲】
【請求項１】
気体入口および気体出口を有するチャンバと、前記入口と前記出口間に配置され、それぞれが気体透過性熱貯蔵媒体を有する複数の連続する下流気体透過性熱貯蔵層とを備える熱エネルギー貯蔵装置であって、前記熱貯蔵媒体との間の熱エネルギーの伝送のために気体が前記気体入口から気体出口へ複数の熱貯蔵層を流れるように構成される熱エネルギー貯蔵装置において、
前記複数の熱貯蔵層の少なくとも１つが少なくとも１つの弁を有する有弁熱貯蔵層であり、前記弁が、少なくとも一部の気体流が弁を介して層を通って層の前記熱貯蔵媒体をバイパスすることを許可または阻止するようにバイパス弁として選択的に動作可能である、ことを特徴とする熱エネルギー貯蔵装置。
【請求項２】
各有弁層が相互に間隔をおいて配置される複数の弁を備える請求項１による熱エネルギー貯蔵装置。
【請求項３】
有弁層の前記弁が他の有弁層の弁と無関係に動作可能である請求項２による熱エネルギー貯蔵装置。
【請求項４】
前記貯蔵装置の前記複数の熱貯蔵層のあらゆる層が有弁層である請求項１〜３のいずれか１項による熱エネルギー貯蔵装置。
【請求項５】
前記貯蔵装置が、同貯蔵装置を通る熱フロントの進行に応じて気体入口から気体出口まで流れて気体の流路を選択的に変更するよう構成された制御システムを備える請求項１〜４の何れか１項による熱エネルギー貯蔵装置。
【請求項６】
動作中、前記気体流路が、層の熱伝送がほぼ完了している前記熱フロントの上流の熱貯蔵層をバイパスするように変更される請求項５による熱エネルギー貯蔵装置。
【請求項７】
動作中、前記気体流路が、層の熱伝送が最小である前記熱フロントの下流の熱貯蔵層をバイパスするように変更される請求項５または請求項６による熱エネルギー貯蔵装置。
【請求項８】
動作中、前記気体流路が、前記熱フロントの全部または一部が存在する熱貯蔵層のみを通過するように変更される請求項６又は７による熱エネルギー貯蔵装置。
【請求項９】
前記チャンバが、前記気体入口と前記気体出口との間に縦方向に並べられる複数の水平気体透過性熱貯蔵層を備える縦型チャンバであり、前記貯蔵装置が、気体が前記気体入口から前記気体出口へ垂直に前記熱貯蔵層を流れるように構成される請求項１〜８のいずれか１項による熱エネルギー貯蔵装置。
【請求項１０】
前記貯蔵装置が、動作中、前記気体入口が温入口として設置される際には前記チャンバの頂部に設けられ、冷入口として設置される際には前記チャンバの底部に設けられるように配置される請求項９による熱エネルギー貯蔵装置。
【請求項１１】
横方向の気体分布のための間隙またはプレナムが各層の前記熱貯蔵媒体の上方に設けられる請求項１〜１０のいずれか１項による熱エネルギー貯蔵装置。
【請求項１２】
単独の有弁層が、単独の始動機構によって一斉に作動させられるよう構成された複数の弁を備える請求項１〜１１のいずれか１項による熱エネルギー貯蔵装置。
【請求項１３】
前記弁がフラップ弁、蝶形弁、滑り弁又は回転弁である請求項１〜１２のいずれか１項による熱エネルギー貯蔵装置。
【請求項１４】
複数の隣接有弁層が設けられ、隣接層の前記弁が、前記貯蔵装置を延在するバイパス流路を提供するように垂直に並べられる請求項１〜１３のいずれか１項による熱エネルギー貯蔵装置。
【請求項１５】
前記貯蔵装置が、熱フロントが前記貯蔵装置の長に沿って進行するにつれて熱フロントの進行に応じて各有弁層の弁を制御することによって前記気体入口から前記気体出口へ流れる気体の流路を選択的に変更し、任意選択で前記制御システムは、熱フロントが下流に移動するにつれて隣接有弁層の別々の選択下流群の有弁開口部を順番に閉鎖することによって前記気体流路を前記隣接有弁層の別々の選択下流群に順番に分流させる制御システムを備える請求項１による熱エネルギー貯蔵装置の作動方法。
【手続補正書】
【提出日】平成28年1月18日(2016.1.18)
【手続補正１】
【補正対象書類名】明細書
【補正対象項目名】００４０
【補正方法】変更
【補正の内容】
【００４０】
【図１】庫内温度と熱交換器出口温度の、従来技術及び本発明によるそれぞれの温度変化を示す。
【図２】庫内で得られた、従来技術及び本発明による温度低下を、それぞれ示す。
【図３】従来技術及び本発明による供給パワー曲線を示す。